(57)【要約】【課題】感染症に感染した旅行者に関する情報を適切に管理できる感染情報管理システムを提供する。【解決手段】旅行情報取得手段１１は、旅行者の旅行スケジュールに関するスケジュール情報を取得する。検査結果取得手段１２は、当該旅行者から採取した検体に基づく感染症検査の検査結果を、当該旅行者と対応付けて取得する。通知先判断手段１３は、検査結果取得手段１２により取得された当該検査結果に関する所定の情報の現在の通知先を、旅行情報取得手段１２により取得された当該旅行者のスケジュール情報に基づいて判断する。通知手段１４は、当該所定の情報を、通知先判断手段１３により判断された上記現在の通知先に対して通知する。【選択図】図１
2009031887.tif 000002
【特許請求の範囲】
【請求項１】
感染症に感染した旅行者に関する情報を管理する感染情報管理システムにおいて、
旅行者の旅行スケジュールに関する情報を取得する旅行情報取得手段と、
当該旅行者から採取した検体に基づく感染症検査の検査結果を、当該旅行者と対応付けて取得する検査結果取得手段と、
前記検査結果取得手段により取得された当該検査結果に関する所定の情報の現在の通知先を、前記旅行情報取得手段により取得された当該旅行者の前記旅行スケジュールに関する情報に基づいて判断する通知先判断手段と、
を備えることを特徴とする感染者情報管理システム。
【請求項２】
当該所定の情報を、前記通知先判断手段により判断された上記現在の通知先に対して通知する通知手段を備えることを特徴とする請求項１に記載の感染情報管理システム。
【請求項３】
前記旅行者と前記検査結果との対応付けは、パスポート、航空券または搭乗券の個人ＩＤを用いて行われることを特徴とする請求項１または２に記載の感染情報管理システム。
【請求項４】
前記感染症検査は、ＤＮＡ検査、ＲＮＡ検査、抗原検査、および抗体検査のいずれかであることを特徴とする請求項１〜３のいずれか１項に記載の感染情報管理システム。
【請求項５】
前記通知先判断手段は、当該旅行者が搭乗前であるか搭乗後であるか、または、着陸前であるか着陸後であるかを推定し、その推定結果に基づいて上記現在の通知先を判断することを特徴とする請求項１〜４のいずれか１項に記載の感染情報管理システム。
【発明の詳細な説明】
【技術分野】
【０００１】
本発明は、感染症に感染した旅行者に関する情報を管理する感染情報管理システムに関する。
【背景技術】
【０００２】
感染症患者を検出する方法として、検体中の菌を培養する方法のほか、ＤＮＡチップなどの技術により比較的短時間で患者の検出を可能とする方法が開発されている。
【特許文献１】国際公開ＷＯ２００５／００１０９７号公報
【発明の開示】
【発明が解決しようとする課題】
【０００３】
旅行者が感染症患者である場合には、とくに感染の拡大などが懸念される。航空機などで移動する感染症患者を早期に検出し、適切な処置をとることができれば、感染の拡大を未然に防止することが可能となる。しかし、菌を培養する方法では、感染症患者の検出に時間がかかり、感染の拡大を効果的に防止することは困難である。
【０００４】
一方、ＤＮＡチップなどを用いた方法では、培養工程を経ることなく菌の検出が可能であり、近い将来、２時間程度での検出が可能になると考えられている。しかしながら、現在では、検出結果を有効に利用するためのシステムが提案されておらず、このような検出技術を感染拡大の防止や早期治療に十分に活かすことは難しい。診断結果が出されるまで、旅行者を待機させておくことも現実的でない。
【０００５】
現在、空港などで感染患者を迅速に発見する方法として、放射温度計を使って遠隔から体温を測定する方法がある。しかし、発熱する以前の潜伏期間の感染者を発見することはできず、また、他人に感染しない疾病による発熱と区別することができない。
【０００６】
本発明の目的は、感染症に感染した旅行者に関する情報を適切に管理できる感染情報管理システムを提供することにある。
【課題を解決するための手段】
【０００７】
本発明の感染者情報管理システムは、感染症に感染した旅行者に関する情報を管理する感染情報管理システムにおいて、旅行者の旅行スケジュールに関する情報を取得する旅行情報取得手段と、当該旅行者から採取した検体に基づく感染症検査の検査結果を、当該旅行者と対応付けて取得する検査結果取得手段と、前記検査結果取得手段により取得された当該検査結果に関する所定の情報の現在の通知先を、前記旅行情報取得手段により取得された当該旅行者の前記旅行スケジュールに関する情報に基づいて判断する通知先判断手段と、を備えることを特徴とする。
この感染者情報管理システムによれば、検査結果に関する所定の情報の現在の通知先を、当該旅行者の旅行スケジュールに関する情報に基づいて判断するので、感染症に感染した旅行者に関する情報を適切に管理できる。
【０００８】
当該所定の情報を、前記通知先判断手段により判断された上記現在の通知先に対して通知する通知手段を備えてもよい。
【０００９】
前記旅行者と前記検査結果との対応付けは、パスポート、航空券または搭乗券の個人ＩＤを用いて行われてもよい。
【００１０】
前記感染症検査は、ＤＮＡ検査、ＲＮＡ検査、抗原検査、および抗体検査のいずれかであってもよい。
【００１１】
前記通知先判断手段は、当該旅行者が搭乗前であるか搭乗後であるか、または、着陸前であるか着陸後であるかを推定し、その推定結果に基づいて上記現在の通知先を判断してもよい。
【発明の効果】
【００１２】
本発明の感染者情報管理システムによれば、検査結果に関する所定の情報の現在の通知先を、当該旅行者の旅行スケジュールに関する情報に基づいて判断するので、感染症に感染した旅行者に関する情報を適切に管理できる。
【発明を実施するための最良の形態】
【００１３】
以下、図１〜図２を参照して、本発明による感染情報管理システムを、空港での感染情報管理のためのシステムに適用した一実施形態について説明する。
【００１４】
図１は、本実施形態の感染情報管理システムの構成を示すブロック図である。
【００１５】
図１に示すように、本実施形態の感染情報管理システム１は、旅行者の旅行スケジュールに関するスケジュール情報を取得する旅行情報取得手段１１と、当該旅行者から採取した検体に基づく感染症検査の検査結果を、当該旅行者と対応付けて取得する検査結果取得手段１２と、検査結果取得手段１２により取得された当該検査結果に関する所定の情報の現在の通知先を、旅行情報取得手段１２により取得された当該旅行者のスケジュール情報に基づいて判断する通知先判断手段１３と、当該所定の情報を、通知先判断手段１３により判断された上記現在の通知先に対して通知する通知手段１４と、を備える。
【００１６】
また、スケジュールデータベース１５には、旅行情報取得手段１１により取得されたスケジュール情報が、検体データベース１６には、検体を特定する情報が、それぞれ格納される。
【００１７】
図１に示すように、感染情報管理システム１には、感染の有無を診断するための診断システム２が接続されている。診断システム２では、感染症検査として、ＤＮＡチップおよびＤＮＡチップの読み取り装置を用いたＤＮＡ検査の他、例えば、以下の検査を行うことができる。
（１）ＰＣＲと電気泳動との組み合わせ、またはリアルタイムＰＣＲを用いた検査。
（２）ＲＴ−ＰＣＲ。ｍＲＮＡの逆転写とＰＣＲとを組み合わせた検査。
（３）抗体検査（ＣＦ：補体結合反応、ＮＴ：中和反応、ＨＩ：赤血球凝集制御反応、ＥＩＡ：酵素免疫法、ＦＡ：蛍光抗体法、ＩＡＨＡ：免疫粘着赤血球凝集反応、ＥＬＩＳＡ：酵素免疫定量法。ＰＡ：受身（粒子）凝集反応、ＰＨＡ：受身赤血球凝集反応）
（４）抗原検査（細胞変成効果、赤血球吸着現象、ふ化鶏卵の羊水および漿尿液の赤血球凝集反応、シェア・バイアル法、直接酵素抗体法、間接酵素抗体法、サザンブロットハイブリダイゼーション、液相（核酸）ハイブリダイゼーション、ＰＣＲ−ＲＦＬＰ、ＣＬＥＩＡ：化学発光酵素免疫測定法、ＦＡ：蛍光抗体法）
【００１８】
図２のステップＳ１〜ステップＳ７は、感染情報を管理する作業手順を示す図である。
【００１９】
渡航者が空港にチェックインし、持ち込み品検査、出国審査を経て、搭乗口を通過した段階で、渡航者から喀痰などの検体を採取し（ステップＳ１）、バーコードなどによる検体ＩＤが付された検体容器に収納する（ステップＳ２）。
【００２０】
次に、検体容器の検体ＩＤを読み込むと同時に、パスポート、航空券、搭乗券などの個人ＩＤを読み込みあるいは入力し（ステップＳ３）、両者を対応付けて検体データベース１６に格納する（ステップＳ４）。採取された検体は、検体容器から取り出され、診断システム２によって感染の有無が診断される。診断に際して、検体容器の検体ＩＤは診断システム２に読み込まれ、これにより、診断結果が検体ＩＤと対応付けられる（ステップＳ５）。
【００２１】
また、検体の採取とは別に、渡航者の旅行スケジュールを読み込みまたは入力する（ステップＳ６）。ここでは、旅行情報取得手段１１により、例えば、渡航者のパスポート、搭乗券あるいは乗車券の情報に基づいて、発着予定時刻、到着予定空港などのスケジュール情報が取得され、スケジュールデータベース１５に上記個人ＩＤと対応付けられて格納される。また、旅行情報取得手段１１は、適宜、搭乗の有無、航空機の発着情報等の現在情報を取得し、スケジュールデータベース１５のスケジュール情報に現在情報を反映させる。
【００２２】
図２に示すように、診断システム２により感染を認める診断結果が得られた場合には、所定の感染情報が関係者に通知される（ステップＳ７）。
【００２３】
診断システム２により感染を認める診断結果が得られた場合、検査結果取得手段１２はその診断結果を検体ＩＤとともに取得する。図２のステップＳ７１〜ステップＳ７６は、感染情報の通知を実行する際の動作手順を示すフローチャートである。
【００２４】
図２のステップＳ７１では、検査結果取得手段１２が診断結果を取得するのを待って、ステップＳ７２へ進む。ステップＳ７２では、検査結果取得手段１２は、診断結果に付された検体ＩＤを通知先判断手段１３に転送する。次に、ステップＳ７３では、通知先判断手段１３は、検体データベース１６にアクセスし、転送されてきた検体ＩＤに対応付けられた個人ＩＤを取得する。次に、ステップＳ７４では、通知先判断手段１３は、スケジュールデータベース１５にアクセスし、上記個人ＩＤに対応付けられたスケジュール情報を取得する。
【００２５】
次に、ステップＳ７５では、通知先判断手段１３は、取得された上記スケジュール情報に基づいて、現在時点での感染情報の通知先を判断する。
【００２６】
ここでは、当該個人ＩＤで特定される渡航者の旅行スケジュールに即して、合理的な通知先を選択する。例えば、上記スケジュール情報により、当該渡航者が搭乗前であると推定されれば、搭乗口を通知先とすることができる。また、当該渡航者がすでに搭乗しているが、着陸前であると推定されれば、該当する航空機を通知先とすることができる。また、すでに着陸後であると推定されれば、入国手続きなどの窓口を通知先とすることができる。なお、感染情報の通知先として、感染情報を集積管理する情報管理センターを指定し、情報管理センターを介して感染情報にアクセスできるようにしてもよい。
【００２７】
次に、ステップＳ７６では、通知先判断手段１３により判断された通知先に対し、電子メール、ファクシミリなどの方法により必要な感染情報を通知し、ステップＳ７１へ戻る。このような通知により、感染情報を関係者に早期に自動配布することができ、航空機への搭乗の阻止や機内での隔離、目的地に到着直後の隔離などの対処により、感染防止を図ることができるとともに、早期治療が可能となる。
【００２８】
以上のように、本発明の感染情報管理システムによれば、検査結果に関する所定の情報の現在の通知先を、当該旅行者の旅行スケジュールに関する情報に基づいて判断するので、感染情報を適切な連絡先に対し迅速に通知できる。このため、迅速で適切な対処により、感染の拡大を抑制できるとともに、早期治療が可能となる。
【００２９】
本発明の適用範囲は上記実施形態に限定されることはない。本発明は、感染症に感染した旅行者に関する情報を管理する感染情報管理システムに対し、広く適用することができる。
【図面の簡単な説明】
【００３０】
【図１】一実施形態の感染情報管理システムの構成を示すブロック図。
【図２】感染情報を管理する手順および感染情報管理システムの動作手順を示す図。
【符号の説明】
【００３１】
１      感染情報管理システム
１１    旅行情報取得手段
１２    検査結果取得手段
１３    通知先判断手段
１４    通知手段
【図１】
2009031887.tif 000003
【図２】
2009031887.tif 000004